(57)【要約】【課題】  フィルターの自動清掃機能を備えた空気調和機において、ダストボックス内に堆積した塵埃を、容易に外部に排出できるようにする。【解決手段】  ダストボックス１１を構成する上部ボックス１１ａには、中央部に、左右一対に内部を視認できる覗き窓２２が設けられ、両側近傍には吸引孔２３が設けられている。吸引孔２３は一側に備えた軸２３ｂを回動自在に軸支された開閉蓋２３ａを備え、同開閉蓋２３ａを開くことにより矩形状の吸引孔２３が開放され、掃除機によりダストボックス１１内に貯留された塵埃を吸引できるようになっている。覗き窓２２は、透明なガラス体２２ａを嵌装あるいは一体に形成しており、前記ダストボックス１１内に貯留された塵埃量を点検したり、掃除機により塵埃を吸引する際、内部の清浄度を確認できるようになっている。【選択図】図７
2005155954.tif 000002
【特許請求の範囲】
【請求項１】
吸込口と吹出口とを備えた本体内に、摺動自在に装着されたフィルターと、同フィルターと接触するように配設されたフィルター清掃部を内設したダストボックスとを設けてなる空気調和機において、
前記ダストボックスに、貯留された塵埃を外部に吸引できる少なくとも一つの吸引孔を設けてなることを特徴とする空気調和機。
【請求項２】
前記ダストボックスに、内部を視認できる覗き窓を少なくとも一箇所設けてなることを特徴とする請求項１又は請求項２に記載の空気調和機。
【請求項３】
前記ダストボックスを透明部材から形成してなることを特徴とする請求項１に記載の空気調和機。
【発明の詳細な説明】
【技術分野】
【０００１】
本発明は、塵埃を除去するフィルターの自動清掃機能を備えた空気調和機に関する。
【背景技術】
【０００２】
従来の空気調和機は、例えば図８で示すように、本体４０の上面に吸込口４１を、下面前部に風向偏向板を備えた吹出口４２を設け、前記吸込口４１と前記吹出口４２とを結ぶ空気通路に前部熱交換器と後部熱交換器とからなり逆Ｖ字状に形成された熱交換器４３と、同熱交換器４３で熱交換された空気を室内に送出する送風ファン４４とを設けている。    
【０００３】
前記吸込口４１の裏面には、吸込まれた空気に含有される塵埃を吸着するフィルター４５が摺動自在且つ着脱自在に装着されており、前記本体４０の前部には前記フィルター４５が通過する通過口を前後に備えた、上部ボックスと下部ボックスとからなるダストボックス４６が設けられている。同ダストボックス４６内にはブラシ４７と、歯車４９と同歯車４９を駆動する駆動モータ４８とが設けられており、同駆動モータ４８により前記歯車４９が回動すると、これに噛合するラックを備えた前記フィルター４５が前後に移動するようになっている。表面に塵埃が蓄積した際は、前記駆動モータ４８により前記フィルター４５を前記本体４０の前方に牽引する。これにより蓄積した塵埃は前記ブラシ４７により捕獲、補集されるとともに、前記ダストボックス４６内に貯留されるようになっている。この後、前記駆動モータ４８を逆転させ前記フィルター４５を前記吸込口４１の裏面に再び格納する。前記ダストボックス４６内に塵埃が堆積した際は、同ダストボックス４６を本体４０から抜脱し、上部ボックスを下部ボックスからはずして塵埃を外部に廃棄する。その後、ダストボックス４６を組立て本体４０に再び収納する。
【０００４】
しかしながら、前記ダストボックス４６を上部ボックスを下部ボックスとに分離する際、誤って塵埃を周囲に撒き散らしたり、あるいは衣服に付着させてしまうというような不具合を生じる虞があり、対応が求められていた。
【０００５】
【特許文献１】特開２００２−１８７７０８号
【発明の開示】
【発明が解決しようとする課題】
【０００６】
本発明は上記問題点に鑑み、ダストボックス内に堆積した塵埃を、誤って周囲に撒き散らしたり、衣服に付着させることなく円滑に除去することができる、フィルターの自動清掃機能を備えた空気調和機を提供することを目的とする。
【課題を解決するための手段】
【０００７】
本発明は上記課題を解決するため、吸込口と吹出口とを備えた本体内に、摺動自在に装着されたフィルターと、同フィルターと接触するように配設されたフィルター清掃部を内設したダストボックスとを設けてなる空気調和機において、前記ダストボックスに、貯留された塵埃を外部に吸引できる少なくとも一つの吸引孔を設けてなる。又、前記ダストボックスに、内部を視認できる覗き窓を少なくとも一箇所設けてなる。又、前記ダストボックスを透明部材から形成してなる。
【発明の効果】
【０００８】
本発明によると、ダストボックスを分解することなく、内部に堆積した塵埃を除去できる一方、覗き窓により清掃状態を確認できるようになり、塵埃廃棄時の使い勝手が向上するとともに、衛生性も併せて改善した空気調和機とすることができる。
【発明を実施するための最良の形態】
【０００９】
以下、本発明の実施の形態を、添付図面に基づいた実施例として詳細に説明する。
【実施例】
【００１０】
図１は本発明による空気調和機の外観斜視図であり、図２はその内部構造を示す断面図である。図３はフィルターの斜視図であり、図４及び図５はダストボックスの斜視図及び断面図である。
【００１１】
本発明による空気調和機は、図１及び図２で示すように、壁面に据付けられるベース１と、同ベース１の上方前部に装着され前端から後端近傍に至り吸込口４を形成した上部パネル３と、下方前部に装着され複数の風向偏向板５ａを備える吹出口５を形成した下部パネル２とで本体を構成している。
【００１２】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１３】
前記吸込口４の裏面には、吸込まれた空気に含有される塵埃を吸着するフィルター１０が本体の内壁両側に設けられたガイドにより前後摺動自在に装着され、本体の内部前方には前記フィルター１０が通過する通過口を前後に備えたダストボックス１１が設けられている。又その下部には前記フィルター１０を本体の前面側に摺動させるとともに、自動的に本体内に収納させる駆動装置３０が設けられており、前記上部パネル３の前端と前記下部パネル２の前端との間には、前記フィルター１０が本体前面に挿脱自在となるようにスリット状の挿脱口９が形成されている。
【００１４】
前記フィルター１０は、図３の裏面側からの斜視図で示すように、中央に摺動方向に沿って桟を形成し、両側縁に前記本体内壁面に形成されたガイドに案内されるレール１０ｄを形成した軟質樹脂材からなる薄肉状の枠体１０ａと、同枠体１０ａ内に一体となって樹脂成型された左右一対の網部１０ｂとからなり、前記中央の桟には、歯型を直線状に連続的に形成したラック１０ｃが形成されている。
【００１５】
前記ダストボックス１１は、図４（Ａ）の外観斜視図及び図４（Ｂ）の分解斜視図で示すように、下面が開放された上部ボックス１１ａと上面が開放された下部ボックス１１ｂとからなり、これらの後端部は図４（Ｂ）で示すように支軸１１ｆにより接合され、同支軸１１ｆを軸芯として開閉自在となっている。又、前記上部ボックス１１ａと前記下部ボックス１１ｂとの後縁の接合部には前記フィルター１０を通過させる矩形状の後部通過口１１ｃが形成され、接合部前縁には、同様にスリット状の前部通過口１１ｄが形成されている。前記上部ボックス１１ａの前記後部通過口１１ｃ側には、第一ブラシ１４が回動自在に軸支され、前記前部通過口１１ｄ側には、第二ブラシ１６が設けられている。前記下部ボックス１１ｂは図４（Ｂ）で示すように、中央部底面に前記駆動装置２２に備えられた歯車が臨む矩形状の開放孔が穿設され、同開放孔に区画されてその両側の前記前部通過口１１ｄ側には左右一対の第三ブラシ１３ａが設けられ、前記後部通過口１１ｃ側には、多数のブラシが植毛された左右一対の第四ブラシ１２ａが設けられている。
【００１６】
前記駆動装置２２は、回転軸にピニオン歯車を嵌着した駆動モータと、ピニオン歯車に噛合する大径の歯車と、同歯車に噛合するとともに、前記フィルター１０に形成されたラック１０ｃと噛合する前記下部ボックス１１ｂの開放口に臨む歯車とから構成されている。
【００１７】
更に、前記ダストボックス１１の構造を詳細に説明する。図４（Ｂ）で示すように、前記上部ボックス１１ｂの両側には、矩形状の係止孔１１ｇを穿設した下方に垂下する側板１１ｅが形成されており、前記下部ボックス１１ｂの後部両側には、前記側板１１ｅから突設された軸１１ｆを軸支する軸受部を備えた側板１１ｈが上方に向け延出され、又、下部両側の凹部には、前記係止孔１１ｇに係止する係止爪１１ｊが係脱自在となるように左右に突設されている。又、前記上部ボックス１１ａの前縁部には傾斜するように突設された手掛部１１ｋが形成されており、同手掛部１１ｋにより容易に開閉が行えるようになっている。
【００１８】
図５で示すように、前記下部ボックス１１ｂの中央と前部には段差部が形成され、中央の段差部１２には多数の植毛を施した前記第四ブラシ１２ａが設けられ、前部の段差部１３には、塵埃がダストボックス１１外に拡散されることを防止するメリヤス状の前記第三ブラシ１３ａが設けられている。前記上部ボックス１１ａの前部には、内壁から張り出したリブに軸支される軸１６ｂにより回動自在に支持され段差部を備えた略平板状の第二ホルダ１６ａと、同第二ホルダ１６ａの下面前後に貼着された薄肉のブラシ１８及び厚肉のブラシ１７とからなる第二ブラシ１６が設けられ、同第二ブラシ１６は前記上部ボックス１１ａの内壁面から突設された一対のボス１９と前記ホルダ１６ａとの間に嵌装されたスプリング２０により前記軸１６ｂを軸芯として下方に付勢され、ダストボックス１１内を前記フィルター１０が通過する際、その上面に蓄積された塵埃を効率よく除去するようになっている。又、前記第二ホルダ１６ａの先端部は上方に向け円弧状に折曲されて第二ガイド部１６ｃを形成しており、同第二ガイド部１６ｃは前面側に引き出された前記フィルター１０が再び本体内に収納される際、前記フィルター１０に例えば波形状の変形及び歪みが生じていても、前記ダストボックス１１内に円滑に案内するようになっている。
【００１９】
前記上部ボックス１１ａの後部には、内壁から張り出したリブに回動自在に軸支される回転軸１４ｂと、同回転軸１４ｂと連結して一体形成された湾曲状の第一ホルダ１４ａと、同第一ホルダ１４ａの下面に貼着されたブラシ１４ｃとからなる第一ブラシ１４が設けられ、前記回転軸１４ｂはその一側端に捲回した弦巻バネにより前記第一ホルダ１４ａの先端部が下方に向かうように付勢されている。湾曲状に形成された前記第一ホルダ１４ａの先端部には鋭角状に形成され中央部に縦長状の突起を備えた第一ガイド部１４ｄが等間隔で複数設けられており、同第一ガイド部１４ｃは前記第二ガイド部１６ｃと同様に前記フィルター１０が再び本体内に収納される際、円滑に前記通過口１１ｃに前記フィルター１０を案内するようになっている。又、前記下部ボックス１１ｂには前記第一ブラシ１４に対向するように第五ブラシ１５が設けられている。
【００２０】
前記上部ボックス１１ａには、図６で示すように、中央部に左右一対に内部を視認できる覗き窓２２が設けられ、両側近傍には吸引孔２３が設けられている。同吸引孔２３は図７（Ａ）で示すように、一側に備えた軸２３ｂを回動自在に軸支された開閉蓋２３ａを備え、同開閉蓋２３ａを開くことにより矩形状の吸引孔２３が開放され、掃除機により前記ダストボックス１１内に貯留された塵埃を吸引できるようになっている。前記覗き窓２２は、図７（Ｂ）で示すように、透明なガラス体２２ａを嵌装あるいは一体に形成しており、前記ダストボックス１１内に貯留された塵埃量を点検したり、掃除機により塵埃を吸引する際、内部の清浄度を確認できるようになっている。
【００２１】
一定期間、冷暖房運転を行い、前記フィルター１０の表面及び裏面に塵埃が蓄積された際は、前記駆動装置２２を駆動させ前記フィルター１０を前記ダストボックス１１内に往復動させて、上記したブラシ群により付着した塵埃を除去する。除去された塵埃は前記ダストボックス１１内に次第に堆積していくので、これも一定期間を経て外部に排出する。塵埃を外部に排出する際は、上記したように、前記ダストボックス１１の上面に備えられた前記開閉蓋２３ａを開き、吸引孔２３に掃除機の吸引口を対峙させて内部の塵埃を吸引する。前記開閉蓋２３は左右に一対に設けられているので、堆積した塵埃は半量ずつ外部に排出されるようになっている。ダストボックス１１内の清掃状態は前記覗き窓２２から内部を視認し、完了状態が確認されたら前記開閉蓋２３を閉じる。
【００２２】
上記したように、ダストボックスを分離あるいは分解することなく、内部に堆積した塵埃を掃除機等を利用して外部に排出することができるので、塵埃を誤って周囲に撒き散らしたり、あるいは衣服に付着させてしまうというような不具合を防止して、使い勝手とともに、併せて衛生性も向上できるようになっている。
【図面の簡単な説明】
【００２３】
【図１】本発明による空気調和機を示す外観斜視図である。
【図２】本発明による空気調和機の断面図である。
【図３】フィルターを示す斜視図である。
【図４】（Ａ）はダストボックスの外観斜視図である。  （Ｂ）はダストボックスの分解斜視図である。
【図５】ダストボックスの断面図である。
【図６】上部ボックスの斜視図である。
【図７】（Ａ）は吸引孔を示す要部斜視図である。  （Ｂ）は覗き窓を示す要部斜視図である。
【図８】従来例を示す断面図である。
【符号の説明】
【００２４】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  挿抜口
１０  フィルター
１０ａ  枠体
１０ｂ  網部
１０ｃ  ラック
１０ｄ  レール
１１  ダストボックス
１１ａ  上部ボックス
１１ｂ  下部ボックス
１１ｃ  後部通過口
１１ｄ  前部通過口
１２  段差部
１２ａ  第四ブラシ
１３  段差部
１３ａ  第三ブラシ
１４  第一ブラシ
１４ａ  第一ホルダ
１４ｂ  回転軸
１４ｃ  ブラシ
１４ｄ  第一ガイド部
１５  第五ブラシ
１６  第二ブラシ
１６ａ  第二ホルダ
１６ｂ  軸
１６ｃ  第二ガイド部
１７、１８  ブラシ
１９  ボス
２０  スプリング
２２  覗き窓
２２ａ  ガラス体
２３  吸引孔
２３ａ  開閉蓋
２３ｂ  軸
３０  駆動装置
【図１】
2005155954.tif 000003
【図２】
2005155954.tif 000004
【図３】
2005155954.tif 000005
【図４】
2005155954.tif 000006
【図５】
2005155954.tif 000007
【図６】
2005155954.tif 000008
【図７】
2005155954.tif 000009
【図８】
2005155954.tif 000010